【手続補正書】
【提出日】平成18年12月27日(2006.12.27)
【手続補正１】
【補正対象書類名】明細書
【補正対象項目名】特許請求の範囲
【補正方法】変更
【補正の内容】
【特許請求の範囲】
【請求項１】  文書中に、当該文書を処理する装置がコマンドとして解釈可能な文字が含まれる被検索文書の検索用インデックスを生成するインデックス生成装置であって、
前記被検索文書を保持する被検索文書保持手段と、
該被検索文書保持手段に保持されている前記被検索文書から、前記コマンドとして解釈可能な文字に応じて第１次セグメントを抽出する文書分割手段と、
前記第１次セグメントをその関連性に応じて統合し、第２次セグメントとする結束性処理手段と、
前記第２次セグメントのそれぞれについて前記検索用インデックスを生成するインデックス生成手段とを有することを特徴とするインデックス生成装置。
【請求項２】  前記結束性処理手段が、前記被検索文書に画像データが含まれる場合、当該画像データと前後の文書との関連度を示す第１の関連度を判別し、この第１の関連度に応じて前記画像データと前及び／又は後ろの前記第１次セグメントを併合する併合処理を行う画像データ処理部を有し、併合処理後の前記第１次セグメントを用いて前記第２次セグメントへの統合処理を行うことを特徴とする請求項１記載のインデックス生成装置。
【請求項３】  前記結束性処理手段が、前記第１次セグメントから前記被検索文書の見出しを含むセグメントを検出し、同じ見出しに含まれる前記第１次セグメントに対して前記見出しに関する情報を付加する見出し処理手段を有することを特徴とする請求項１記載のインデックス生成装置。
【請求項４】  前記結束性処理手段が、前記第１次セグメントを所定の文字で所定単位に分割し、前記所定単位相互の関連度を示す第２の関連度を検出して所定の前記第２の関連度を有する隣接する所定単位を併合して前記第２次セグメントとする分割併合手段を有することを特徴とする請求項１記載のインデックス生成装置。
【請求項５】  前記画像データ処理部が、前記画像データが併合された前記第１次セグメントに、併合された前記画像データ及び前記第１の関連度に関する情報を付加することを特徴とする請求項２記載のインデックス生成装置。
【請求項６】  前記インデックス生成手段が、前記第２次セグメントの前記見出し情報及び、前記第２次セグメントの前記見出しに関する情報以外の部分に対して別個に前記検索用インデックスを生成することを特徴とする請求項３記載のインデックス生成装置。
【請求項７】  被検索文書の集合から、与えられたキーに関係する文書を検索する検索装置であって、
前記被検索文書のそれぞれについて、検索用インデックス集合が複数与えられており、
前記キーを用いて前記複数のインデックス集合のそれぞれを検索し、それぞれの検索結果に所定の重み付けをして合成した結果を基に、前記キーに対する前記被検索文書の関連度を決定する検索手段と、
前記関連度が所定の条件を満たす前記被検索文書を最終検索結果として保持する最終検索結果保持手段とを有することを特徴とする検索装置。
【請求項８】  前記複数のインデックス集合が請求項６記載の検索用インデックスであり、前記被検索文書が前記第２次セグメントであることを特徴とする請求項７記載の検索装置。
【請求項９】  文書中に、当該文書を処理する装置がコマンドとして解釈可能な文字が含まれる被検索文書の検索用インデックスを生成するインデックス生成部と、被検索文書の集合から、与えられたキーに関係する文書を検索する検索部とから構成される検索システムであって、
前記インデックス生成部が、
前記被検索文書を保持する被検索文書保持手段と、
該被検索文書保持手段に保持されている前記被検索文書から、前記文字に応じて第１次セグメントを抽出する文書分割手段と、
前記第１次セグメントをその関連性に応じて統合し、第２次セグメントとする結束性処理手段と、
前記第２次セグメントのそれぞれ及び前記見出しに関する情報に対して前記検索用インデックス前記検索用インデックスを生成するインデックス生成手段とから構成され、
前記検索部が、
前記キーを用いて前記検索用インデックスを検索し、前記キーに対する前記被検索文書の関連度を決定する検索手段と、
前記関連度が所定の条件を満たす前記被検索文書を最終検索結果として保持する最終検索結果保持手段とから構成されることを特徴とする検索システム。
【請求項１０】  前記結束性処理手段が、前記被検索文書に画像データが含まれる場合、当該画像データと前後の文書との関連度を示す第１の関連度を判別し、この第１の関連度に応じて前記画像データと前及び／又は後ろの前記第１次セグメントを併合する併合処理を行う画像データ処理部を有し、併合処理後の前記第１次セグメントを用いて前記第２次セグメントへの統合処理を行うことを特徴とする請求項９記載の検索システム。
【請求項１１】  前記結束性処理手段が、前記第１次セグメントから前記被検索文書の見出しを含むセグメントを検出し、同じ見出しに含まれる前記第１次セグメントに対して前記見出しに関する情報を付加する見出し処理手段を有することを特徴とする請求項９記載の検索システム。
【請求項１２】  前記結束性処理手段が、前記第１次セグメントを所定の文字で所定単位に分割し、前記所定単位相互の関連度を示す第２の関連度を検出して所定の前記第２の関連度を有する隣接する所定単位を併合して前記第２次セグメントとする分割併合手段を有することを特徴とする請求項９記載の検索システム。
【請求項１３】  前記画像データ処理部が、前記画像データが併合された前記第１次セグメントに、併合された前記画像データ及び前記第１の関連度に関する情報を付加することを特徴とする請求項１０記載の検索システム。
【請求項１４】  前記結束性処理手段が、前記第１次セグメントから前記被検索文書の見出しを含むセグメントを検出し、同じ見出しに含まれる前記第１次セグメントに対して前記見出しに関する情報を付加する見出し処理手段を有し、
前記インデックス生成手段が、前記第２次セグメントの前記見出し情報及び、前記第２次セグメントの前記見出しに関する情報以外の部分に対して個別の前記検索用インデックスを生成するとともに、
前記検索部が、前記キーを用いて前記個別の検索用インデックスを検索し、それぞれの検索結果に所定の重み付けをして合成した結果を基に、前記キーに対する前記被検索文書の関連度を決定する検索手段と、
前記関連度が所定の条件を満たす前記被検索文書を最終検索結果として保持する最終検索結果保持手段とを有することを特徴とする請求項１０記載の検索システム。
【請求項１５】  文書中に、当該文書を処理する方法がコマンドとして解釈可能な文字が含まれる被検索文書の検索用インデックスを生成するインデックス生成方法であって、
前記被検索文書を記憶手段に保持する被検索文書保持ステップと、
前記記憶手段に保持されている前記被検索文書から、前記コマンドとして解釈可能な文字に応じて第１次セグメントを抽出する文書分割ステップと、
前記第１次セグメントをその関連性に応じて統合し、第２次セグメントとする結束性処理ステップと、
前記第２次セグメントのそれぞれについて前記検索用インデックスを生成するインデックス生成ステップとを有することを特徴とするインデックス生成方法。
【請求項１６】  前記結束性処理ステップが、前記被検索文書に画像データが含まれる場合、当該画像データと前後の文書との関連度を示す第１の関連度を判別し、この第１の関連度に応じて前記画像データと前及び／又は後ろの前記第１次セグメントを併合する併合処理を行う画像データ処理ステップを有し、併合処理後の前記第１次セグメントを用いて前記第２次セグメントへの統合処理を行うことを特徴とする請求項１５記載のインデックス生成方法。
【請求項１７】  前記結束性処理ステップが、前記第１次セグメントから前記被検索文書の見出しを含むセグメントを検出し、同じ見出しに含まれる前記第１次セグメントに対して前記見出しに関する情報を付加する見出し処理ステップを有することを特徴とする請求項１５記載のインデックス生成方法。
【請求項１８】  前記結束性処理ステップが、前記第１次セグメントを所定の文字で所定単位に分割し、前記所定単位相互の関連度を示す第２の関連度を検出して所定の前記第２の関連度を有する隣接する所定単位を併合して前記第２次セグメントとする分割併合ステップを有することを特徴とする請求項１５記載のインデックス生成方法。
【請求項１９】  前記画像データ処理ステップが、前記画像データが併合された前記第１次セグメントに、併合された前記画像データ及び前記第１の関連度に関する情報を付加することを特徴とする請求項１６記載のインデックス生成方法。
【請求項２０】  前記インデックス生成ステップが、前記第２次セグメントの前記見出し情報及び、前記第２次セグメントの前記見出しに関する情報以外の部分に対して別個に前記検索用インデックスを生成することを特徴とする請求項１７記載のインデックス生成方法。
【請求項２１】  被検索文書の集合から、与えられたキーに関係する文書を検索する検索方法であって、
前記被検索文書のそれぞれについて、検索用インデックス集合が複数与えられており、
前記キーを用いて前記複数のインデックス集合のそれぞれを検索し、それぞれの検索結果に所定の重み付けをして合成した結果を基に、前記キーに対する前記被検索文書の関連度を決定する検索ステップと、
前記関連度が所定の条件を満たす前記被検索文書を最終検索結果として保持する最終検索結果保持ステップとを有することを特徴とする検索方法。
【請求項２２】  前記複数のインデックス集合が請求項２０記載の検索用インデックスであり、前記被検索文書が前記第２次セグメントであることを特徴とする請求項２１記載の検索方法。
【請求項２３】  文書中に、当該文書を処理する装置がコマンドとして解釈可能な文字が含まれる被検索文書の検索用インデックスを生成するインデックス生成のプログラムコードを格納した記憶媒体であって、
前記被検索文書を保持する被検索文書保持工程のプログラムコードと、
該被検索文書保持工程により保持されている前記被検索文書から、前記文字に応じて第１次セグメントを抽出する文書分割工程のプログラムコードと、
前記第１次セグメントをその関連性に応じて統合し、第２次セグメントとする結束性処理工程のプログラムコードと、
前記第２次セグメントのそれぞれについて前記検索用インデックスを生成するインデックス生成工程のプログラムコードとを有することを特徴とする記憶媒体。
【請求項２４】  被検索文書の集合から、与えられたキーに関係する文書を検索する検索プログラムコードを格納した記憶媒体であって、
前記被検索文書のそれぞれについて、検索用インデックス集合が複数与えられており、
前記キーを用いて前記複数のインデックス集合のそれぞれを検索し、それぞれの検索結果に所定の重み付けをして合成した結果を基に、前記キーに対する前記被検索文書の関連度を決定する検索工程のプログラムコードと、
前記関連度が所定の条件を満たす前記被検索文書を最終検索結果として保持する最終検索結果保持工程のプログラムコードとを有することを特徴とする記憶媒体。
【請求項２５】  文書中に、当該文書を処理する装置がコマンドとして解釈可能な文字が含まれる被検索文書の検索用インデックスを生成するインデックス生成処理と、被検索文書の集合から、与えられたキーに関係する文書を検索する検索処理とを行う検索システムのプログラムコードを格納した記憶媒体であって、
前記インデックス生成処理を構成する、
前記被検索文書を保持する被検索文書保持工程のプログラムコードと、
該被検索文書保持工程によって保持されている前記被検索文書から、前記文字に応じて第１次セグメントを抽出する文書分割工程のプログラムコードと、
前記第１次セグメントをその関連性に応じて統合し、第２次セグメントとする結束性処理工程のプログラムコードと、
前記第２次セグメントのそれぞれについて前記検索用インデックスを生成するインデックス生成工程と、
前記検索処理を構成する、
前記キーを用いて前記検索用インデックスを検索し、前記キーに対する前記被検索文書の関連度を決定する検索工程のプログラムコードと、
前記関連度が所定の条件を満たす前記被検索文書を最終検索結果として保持する最終検索結果保持工程のプログラムコードとを有することを特徴とする記憶媒体。